(57)【要約】【課題】  表示板の差し替えを極めて簡単に行うことが可能であり、さらに、陳列される商品と構造的な類似性を有するディスプレイカード装置を提供する。【解決手段】  棚板１２に載せられ、かつ、その上面に商品７０が載せられる水平部３１と、水平部の前端に折曲可能に設けられ棚板の前面に位置する垂下部３２と、垂下部から前方に突出する左右一対の前側係合用突出部材４０と、を有する本体板３０と、左右両端に形成された係合用切欠５１、５２を左右の前側係合用突出部材に係合することにより、垂下部の前面に着脱可能に取り付けられる商品情報表示板５０と、を備える。【選択図】  図２
2006296953.tif 000002
【特許請求の範囲】
【請求項１】
棚板に載せられ、かつ、その上面に商品が載せられる水平部と、該水平部の前端に折曲可能に設けられ、上記棚板の前面に位置する垂下部と、上記垂下部から前方に突出する左右一対の前側係合用突出部材と、を有する本体板と、
左右両端に形成された係合用切欠を左右の上記前側係合用突出部材に係合することにより、上記垂下部の前面に着脱可能に取り付けられる、その前面に上記商品に関する情報が表示された商品情報表示板と、
を備えることを特徴とするディスプレイカード装置。
【請求項２】
請求項１記載のディスプレイカード装置において、
上記商品が衣服であり、上記前側係合用突出部材が該衣服用のボタンによって構成されているディスプレイカード装置。
【請求項３】
請求項１または２記載のディスプレイカード装置において、
上記垂下部から後方に突出する左右一対の後側係合用突出部材と、
左右両端に形成された係合用切欠を左右の後側係合用突出部材に係合することにより、その一部である表示部が上記垂下部の側方または下方に位置する態様で上記垂下部の後面に着脱可能に取り付けられ、かつ該表示部の前面に上記商品に関する情報が表示された上記商品情報表示板とは別の商品情報表示板と、を備えるディスプレイカード装置。
【請求項４】
請求項３記載のディスプレイカード装置において、
上記商品が衣服であり、上記前側係合用突出部材及び後側係合用突出部材が該衣服用のボタンによって構成されているディスプレイカード装置。
【発明の詳細な説明】
【技術分野】
【０００１】
本発明は、衣服等の商品を棚に載せて陳列する際に用いられる、商品の名称・価格・属性等を表示するためのディスプレイカード装置に関する。
【背景技術】
【０００２】
衣服等の商品を棚に陳列して販売する場合に、棚に商品の名称・価格・属性等を表示する表示手段を取り付けることは広く行われている。
この種の表示手段の一例としては、棚に取り付けられる無色透明かつ中空扁平状のケースと、該ケースの内部に着脱可能に挿入される、商品の名称・価格・属性等が記載された表示板と、を備えるものがある（例えば特許文献１）。
【特許文献１】特開２００３−２３５６９６号公報
【発明の開示】
【発明が解決しようとする課題】
【０００３】
上記表示手段は、陳列する商品に応じて、ケースに挿入する表示板を差し替えることが可能である。しかし、表示板のケースへの着脱が容易でないという欠点があった。
さらに、上記表示手段と陳列される商品の間には構造的な類似性がないので、上記表示手段では顧客の購買意欲を刺激できないおそれがあった。
【０００４】
本発明の目的は、表示板の差し替えを極めて簡単に行うことが可能であり、さらに、陳列される商品と構造的な類似性を有するディスプレイカード装置を提供することにある。
【課題を解決するための手段】
【０００５】
本発明のディスプレイカード装置は、棚板に載せられ、かつ、その上面に商品が載せられる水平部と、該水平部の前端に折曲可能に設けられ、上記棚板の前面に位置する垂下部と、上記垂下部から前方に突出する左右一対の前側係合用突出部材と、を有する本体板と、左右両端に形成された係合用切欠を左右の上記前側係合用突出部材に係合することにより、上記垂下部の前面に着脱可能に取り付けられる、その前面に上記商品に関する情報が表示された商品情報表示板と、を備えることを特徴としている。
【０００６】
さらに、上記垂下部から後方に突出する左右一対の後側係合用突出部材と、左右両端に形成された係合用切欠を左右の後側係合用突出部材に係合することにより、その一部である表示部が上記垂下部の側方または下方に位置する態様で上記垂下部の後面に着脱可能に取り付けられ、かつ該表示部の前面に上記商品に関する情報が表示された上記商品情報表示板とは別の商品情報表示板と、を備えるのが好ましい。
【０００７】
商品が衣服であるならば、上記前側係合用突出部材と後側係合用突出部材を該衣服用のボタンによって構成するのが好ましい。
ここで「該衣服用のボタン」とは、商品として陳列されている衣服に実際に装着されているボタンだけでなく、陳列されている衣服とは別の衣服であるが、陳列されている衣服と同種類の衣服のボタン（例えば陳列されている衣服がジーンズなら別種類のジーンズのボタン）も含む概念である。
【発明の効果】
【０００８】
本発明によると、商品情報表示板の差し替えを極めて簡単に行うことが可能なディスプレイカード装置が得られる。さらに、陳列する商品が衣服の場合に係合用突出部材を衣服用のボタンにすれば、陳列される商品と構造的な類似性を有するディスプレイカード装置が得られる。
【発明を実施するための最良の形態】
【０００９】
以下、図示実施形態に基づき本発明を説明する。なお、以下の説明中の前後の方向は、図１中に記載した矢印の方向を基準としている。
陳列棚１０は複数の収納空間１１を備えており、各収納空間１１の底部には床面と平行（すなわち水平）な棚板１２が設けられている。
棚板１２に載置されるディスプレイカード装置２０の構造は以下の通りである。
ディスプレイカード装置２０は、本体板３０とボタン（前側係合用突出部材、後側係合用突出部材）４０と商品情報表示板５０と商品情報表示板６０とを備えている。
本体板３０は、合成樹脂等の硬質材料によって一体成形されたものであり、水平部３１と垂下部３２を具備している。水平部３１と垂下部３２の間の左右方向を向く境界部は、水平部３１と垂下部３２より肉厚が薄い薄肉部３３となっており、水平部３１と垂下部３２はこの薄肉部３３を中心に相対回転可能である（図２参照）。即ち本体板３０は折り畳み式である。垂下部３２の左右両端部には、垂下部３２を前後方向に貫通する共に円形の係止孔３４と係止孔３５が穿設されている。
【００１０】
ボタン４０は金属からなるジーンズ用のボタンである。図２及び図５等に示すようにボタン４０は、係止孔３４及び係止孔３５に挿入される、その断面径が係止孔３４及び係止孔３５の径と略同一の軸部４１と、軸部４１の前端に固着された、係止孔３４及び係止孔３５より大径の前側円盤部４２と、軸部４１の後端に固着された、係止孔３４及び係止孔３５より大径で前側円盤部４２より小径の後側円盤部４３と、を具備している。
図示は省略してあるが、垂下部３２の前方からボタン４０の後側円盤部４３を係止孔３４及び係止孔３５に圧入し、係止孔３４及び係止孔３５の周辺部を弾性変形させながら後側円盤部４３を垂下部３２の後方に突出させ、軸部４１を係止孔３４及び係止孔３５に嵌合すれば、ボタン４０を係止孔３４及び係止孔３５に装着出来る。一方、軸部４１が係止孔３４及び係止孔３５に嵌合された状態で、ボタン４０を強い力で前方に引き抜くと、後側円盤部４３が係止孔３４及び係止孔３５の周辺部を弾性変形させながら係止孔３４及び係止孔３５から前方に脱出するので、ボタン４０を係止孔３４及び係止孔３５から取り外せる。
係止孔３４及び係止孔３５にボタン４０を装着したときの、左右の軸部４１の内端同士の左右方向距離はＬ１である（図３参照）。
【００１１】
商品情報表示板５０は合成樹脂等の硬質弾性材料からなる、正面視略長方形の板部材である。商品情報表示板５０の左右両端には、横向きＵ字形をなす係合用切欠５１と係合用切欠５２が形成されている。係合用切欠５１と係合用切欠５２の内側端部同士の左右方向距離はＬ２であり、商品情報表示板５０の左右幅はＬ３である（図３参照）。図３に示すように、Ｌ１とＬ２とＬ３はＬ２＜Ｌ１＜Ｌ３の関係にある。この商品情報表示板５０の前面には、陳列棚１０に陳列される商品であるジーンズ（商品）７０の名称・価格・属性等（商品に関する情報）を表す文字５３が記載されている。
【００１２】
図６及び図７に示すように、商品情報表示板５０は、係合用切欠５１（または係合用切欠５２）を左側のボタン４０の軸部４１の前側部分（垂下部３２の前側に位置する部分）に右側から係合した後、商品情報表示板５０をその左右幅が短くなるように弾性変形させ、係合用切欠５２（または係合用切欠５１）を右側のボタン４０の軸部４１の前側部分に左側から係合し、最後に商品情報表示板５０全体を初期形状に弾性復帰させることにより、垂下部３２の直前に簡単に装着することが出来る。商品情報表示板５０の係合用切欠５１と係合用切欠５２が左右のボタン４０に内側から係合すると、Ｌ１＜Ｌ３かつ係合用切欠５１、５２の上下幅よりボタン４０の前側円盤部４２の径が大きいので、商品情報表示板５０を意図的に弾性変形させない限り、商品情報表示板５０の係合用切欠５１と係合用切欠５２が左右のボタン４０から脱落することはない。
一方、図示は省略してあるが、商品情報表示板５０が垂下部３２の直前に装着されている状態で、商品情報表示板５０をその左右幅が短くなるように弾性変形させ、係合用切欠５２（または係合用切欠５１）とボタン４０の係合を解除し、その後に係合用切欠５１（または係合用切欠５２）ともう一方のボタン４０との係合を解除すれば、商品情報表示板５０を左右のボタン４０から簡単に取り外せる。
【００１３】
商品情報表示板６０は合成樹脂等の硬質弾性材料からなる、正面視略長方形の板部材である。商品情報表示板６０の左右幅は商品情報表示板５０と同じであるが、上下寸法は商品情報表示板５０より長い。商品情報表示板６０の左右両端には、商品情報表示板５０と同形状の係合用切欠６１と係合用切欠６２が形成されている（係合用切欠６１と係合用切欠６２の内側端部同士の左右方向距離はＬ２であり、商品情報表示板６０の左右幅はＬ３である）。
商品情報表示板６０も商品情報表示板５０と同様の要領によって、垂下部３２の直後に簡単に装着される。商品情報表示板６０の係合用切欠６１と係合用切欠６２が左右のボタン４０に内側から係合すると、Ｌ１＜Ｌ３かつ係合用切欠６１、６２の上下幅よりボタン４０の後側円盤部４３の径が大きいので、商品情報表示板６０を意図的に弾性変形させない限り、商品情報表示板６０の係合用切欠６１と係合用切欠６２が左右のボタン４０から脱落することはない。図３に示すように、商品情報表示板６０を垂下部３２の後側に装着すると商品情報表示板６０の下端部（表示部）６３が垂下部３２の下方に位置し、正面から視たときにこの表示部６３の前面が露出する。この表示部６３の前面にも、陳列棚１０に陳列される商品であるジーンズ７０の名称・価格・属性等（商品に関する情報）を表す文字６４が記載されている。
さらに商品情報表示板６０は、商品情報表示板５０と同様の要領によって、垂下部３２の後側から簡単に取り外すことが可能である。
【００１４】
このような構造のディスプレイカード装置２０は、図１に示すように、その水平部３１が収納空間１１の棚板１２に載置され、垂下部３２（商品情報表示板５０及び商品情報表示板６０）が陳列棚１０の直前において垂れ下がる。さらに、水平部３１の上面には商品であるジーンズ７０が重ねた状態で載置される。このようにディスプレイカード装置２０の水平部３１にジーンズ７０の重みが掛かるので、ディスプレイカード装置２０が収納空間１１から脱落することはない。
【００１５】
以上説明したように本実施形態によれば、商品情報表示板５０及び商品情報表示板６０を垂下部３２（本体板３０）に簡単に着脱できる。従って、陳列棚１０に陳列する商品に応じて、商品情報表示板５０及び商品情報表示板６０を、商品に応じた文字が記載された商品情報表示板５０及び商品情報表示板６０に簡単に交換できる。
さらに、ディスプレイカード装置２０（水平部３１）は棚板１２に単に載置してあるだけなので、ディスプレイカード装置２０自体を陳列棚１０に対して簡単に着脱できる。
さらに、ボタン４０が商品であるジーンズ用のボタンによって構成されているので、陳列される商品であるジーンズ７０とディスプレイカード装置２０の間には構造的な類似性がある。従って、ディスプレイカード装置２０を見た顧客の購買意欲を刺激することが可能である。
また、本体板３０は折り畳み式なので、ボタン４０、商品情報表示板５０、及び商品情報表示板６０を本体板３０から取り外せば、本体板３０を折り畳んで収納できるので、収納時の省スペース化を図れる。
【００１６】
なお、ボタン４０は陳列されるジーンズ７０のボタンであるのが好ましいが、他の種類のジーンズのボタン４０であってもよい。
また、上記実施形態では商品をジーンズ７０としたが、言うまでもなく、商品はジーンズ以外の衣服であってもよい。この場合はボタン４０をこの種の衣服のボタンとするのが好ましい。
また、商品は衣服以外の商品であってもよい。
さらに、係合用突出部材（前側係合用突出部材と後側係合用突出部材）は軸部４１と前側円盤部４２と後側円盤部４３を具備していれば、ボタン４０以外のものを用いることも勿論可能であり、前側円盤部４２と後側円盤部４３の大きさを同等にしてもよい。さらに、前側円盤部４２と後側円盤部４３は係止孔３４及び係止孔３５からの抜け止め機能があれば円形以外の形状であってもよい。
また、本実施形態では商品情報表示板６０に垂下部３２の下方において露出する表示部６３を設けたが、垂下部３２の側方において露出する表示部を形成してもよい。
【図面の簡単な説明】
【００１７】
【図１】本発明の一実施形態であるディスプレイカード装置を陳列棚に載せた状態を示す斜視図である。
【図２】ディスプレイカード装置の分解斜視図である。
【図３】ディスプレイカード装置の平面図である。
【図４】図３のIV矢線方向に見た側面図である。
【図５】図３のV−V線に沿う断面図である。
【図６】本体板に商品情報表示板を取付ける直前の状態を示す斜視図である。
【図７】本体板に商品情報表示板を取付ける最中の状態を示す斜視図である。
【符号の説明】
【００１８】
１０    陳列棚
１１    収納空間
１２    棚板
２０    ディスプレイカード装置
３０    本体板
３１    水平部
３２    垂下部
３３    薄肉部
３４  ３５  係止孔
４０    ボタン（前側係合用突出部材、後側係合用突出部材）
４１    軸部
４２    前側円盤部
４３    後側円盤部
５０    商品情報表示板
５１  ５２  係合用切欠
５３    文字
６０    商品情報表示板
６１  ６２  係合用切欠
６３    表示部
６４    文字
７０    ジーンズ（商品）
【図１】
2006296953.tif 000003
【図２】
2006296953.tif 000004
【図３】
2006296953.tif 000005
【図４】
2006296953.tif 000006
【図５】
2006296953.tif 000007
【図６】
2006296953.tif 000008
【図７】
2006296953.tif 000009